(57)【要約】      （修正有）【課題】ユーザが操作ボタンを押した際に、操作ボタンが所定の位置に対してずれるのを抑制することが可能なリモートコントローラを提供することである。【解決手段】このリモートコントローラは、複数の孔部１ａを有する樹脂製の上側ケース１と、上側ケース１の複数の孔部１ａを介して上側ケース１の上面側に突出する操作ボタン２ａが一体的に形成されたゴム製の板状部材２と、配線基板と、樹脂製の下側ケースとを備えている。また、上側ケース１の孔部１ａ以外の所定の領域には、下面側から下方の突出するとともに、面取り形状の先端部を有するボス部１ｄが所定の間隔を隔てて複数一体的に設けられている。また、板状部材２の上面の操作ボタン２ａの近傍には、ボス部１ｄと対応する位置にボス部１ｄと係合する貫通孔２ｃが複数設けられている。【選択図】図３
0003119466.tif 000002
【実用新案登録請求の範囲】
【請求項１】
複数の孔部を有する樹脂製の上側ケース部と、前記上側ケース部の下面側に配置され、前記上側ケース部の複数の孔部を介して前記上側ケース部の上面側に突出する操作ボタンが一体的に形成されたゴム製の板状部材と、前記板状部材の下面側に配置された配線基板と、前記配線基板の下面側に配置された樹脂製の下側ケース部とを備えたリモートコントローラにおいて、
前記樹脂製の上側ケース部の孔部以外の所定の領域には、下面側から下方に突出するとともに、丸形形状または面取り形状の先端部を有する凸状のボス部が所定の間隔を隔てて複数一体的に設けられており、
前記ゴム製の板状部材の上面の前記操作ボタンの近傍には、前記凸状のボス部と対応する位置に前記凸状のボス部と係合する貫通しない凹部が複数設けられている、リモートコントローラ。
【請求項２】
孔部を有するとともに、凸状のボス部または凹部の一方からなる第１係合部が下面側に一体的に設けられたケース部と、
前記ケース部の下面側に配置され、前記ケース部の孔部を介して前記ケース部の上面側に突出する操作ボタンが一体的に形成されるとともに、前記操作ボタンの近傍に、前記ケース部の凸状のボス部または凹部の一方と係合する、凸状のボス部または凹部の他方からなる第２係合部が一体的に設けられたゴム製の板状部材とを備え、
前記凸状のボス部は、丸形形状または面取り形状の先端部を有する、リモートコントローラ。
【請求項３】
前記ケース部は、樹脂製であり、
前記ケース部の前記第１係合部は、凸状のボス部であり、
前記板状部材の前記第２係合部は、凹部であり、
前記凸状のボス部は、前記ケース部の孔部以外の所定領域の下面側から下方に突出するとともに、所定の間隔を隔てて複数設けられており、
前記凹部は、前記凸状のボス部と対応する位置に所定の間隔を隔てて複数設けられている、請求項２に記載のリモートコントローラ。
【請求項４】
前記ゴム製の板状部材に設けられた凹部は、貫通しない凹部である、請求項３に記載のリモートコントローラ。
【請求項５】
前記ゴム製の板状部材に設けられた凹部は、貫通孔である、請求項３に記載のリモートコントローラ。
【請求項６】
第３係合部が設けられた配線基板をさらに備え、
前記第３係合部は、前記板状部材の前記貫通孔を介して、前記ケース部の凸状のボス部と係合する、請求項５に記載のリモートコントローラ。
【請求項７】
下面側から下方に突出するように形成されるとともに、円柱状の凸状のボス部を一体的に含む樹脂製のケース部と、
前記ケース部の下面側に配置され、前記ケース部の孔部を介して前記ケース部の上面側に突出する操作ボタンが一体的に形成されるとともに、前記操作ボタンの近傍に、前記ケース部の凸状のボス部と係合する貫通しない凹部が設けられたゴム製の板状部材とを備えた、リモートコントローラ。
【請求項８】
前記ケース部の下面には、補強リブが一体的に設けられており、
前記凸状のボス部は、前記補強リブと一体的に形成されている、請求項２〜７のいずれか１項に記載のリモートコントローラ。
【考案の詳細な説明】
【技術分野】
【０００１】
本考案は、リモートコントローラに関し、特に、ゴム製の操作ボタンを備えたリモートコントローラに関する。
【背景技術】
【０００２】
従来、操作ボタンが一体的に形成された板状部材を備えたリモートコントローラが知られている（たとえば、特許文献１および特許文献２参照）。
【０００３】
上記特許文献１には、操作ボタンが一体的に形成されたゴム製の板状部材が、上側ケースに固定されたリモートコントローラが記載れている。このリモートコントローラでは、上側ケースに２つのボス部が設けられているとともに、板状部材には、ボス部が挿入される２つのボス挿入孔（貫通孔）が設けられている。そして、上側ケースのボス部が板状部材のボス挿入孔に挿入されることによって、板状部材と上側ケースとが固定されている。また、板状部材のボス挿入孔は、板状部材の前端部から前方に延びるように形成された一対の細長形状の連結片の先端部にそれぞれ設けられている。このため、ボス挿入孔と操作ボタンとは、所定の距離離れている。
【０００４】
また、上記特許文献２には、操作ボタンが一体的に形成されたゴム製の板状部材の両側端部を、上側ケース部と下側ケース部とで挟むことによって、板状部材を固定するリモコンケースが記載されている。
【０００５】
また、従来、操作ボタンが一体的に形成されたゴム製の板状部材を備えたリモートコントローラが知られている。図１６は、従来の一例によるリモートコントローラの分解斜視図であるである。図１７は、図１６に示した従来の一例によるリモートコントローラの全体斜視図である。図１６および図１７を参照して、従来の一例によるリモートコントローラの構造について説明する。
【０００６】
従来の一例によるリモートコントローラは、図１６および図１７に示すように、上側ケース１０１と、操作ボタン１０２ａが一体的に形成されたゴム製の板状部材１０２と、配線基板１０３と、下側ケース１０４とを備えている。また、上側ケース１０１には、板状部材１０２の操作ボタン１０２ａを上側ケース１０１の上面側に突出させるための孔部１０１ａが複数設けられている。この孔部１０１ａは、操作ボタン１０２ａが挿入された際に隙間ができる程度の大きさに形成されている。また、配線基板１０３には、制御信号を発信する赤外線発光部１０３ａと、操作ボタン１０２ａによって押圧される接点部（図示せず）とが設けられている。この接点部は、操作ボタン１０２ａに押圧されることにより赤外線発光部１０３ａから制御信号を発信させる機能を有している。また、下側ケース１０４には、上側ケース１０１と下側ケース１０４とを固定するためのネジ１０５を挿入する挿入部１０４ａが設けられている。
【０００７】
また、配線基板１０３と板状部材１０２とは、配線基板１０３の接点部と操作ボタン１０２ａとが対応する位置関係となるように配置された状態で、上側ケース１０１および下側ケース１０４の内部に収納されている。また、配線基板１０３および板状部材１０２は、上側ケース１０１と下側ケース１０４とに挟み込まれて、上側ケース１０１と下側ケース１０４との内部に固定されている。
【０００８】
【特許文献１】実用新案登録第３０８８８３６号公報
【特許文献２】実用新案出願公開昭６０−１１５３８号公報
【考案の開示】
【考案が解決しようとする課題】
【０００９】
しかしながら、図１６および図１７に示した従来の一例によるリモートコントローラでは、板状部材１０２と配線基板１０３とが、上側ケース１０１と下側ケース１０４とによって挟み込まれているだけなので、ユーザが操作ボタン１０２ａを垂直方向（図１７のＡ方向）以外の方向（図１７のＢ１方向、Ｂ２方向、Ｃ１方向およびＣ２方向）に押した場合には、板状部材１０２（操作ボタン１０２ａ）の位置が所定の位置に対してずれてしまうという問題点がある。
【００１０】
また、上記特許文献１に記載されたリモートコントローラでは、板状部材と上側ケースとが固定されている一方、上側ケースと固定される板状部材のボス挿入孔は、操作ボタンと距離が離れた位置に形成されているため、ユーザが操作ボタンを垂直方向以外の方向に押した場合には、操作ボタンの位置が所定の位置に対してずれやすいという問題点がある。
【００１１】
また、上記特許文献２に記載されたリモートコントローラでは、板状部材の両端部が上側ケースと下側ケースとによって、挟み込まれているだけなので、上記特許文献１と同様、ユーザが操作ボタンを垂直方向以外の方向に押した場合には、操作ボタンの位置が所定の位置に対してずれてしまうという問題点がある。
【００１２】
この考案は、上記のような課題を解決するためになされたものであり、この考案の１つの目的は、ユーザが操作ボタンを押した際に、操作ボタンが所定の位置に対してずれるのを抑制することが可能なリモートコントローラを提供することである。
【課題を解決するための手段】
【００１３】
この考案の第１の局面におけるリモートコントローラでは、複数の孔部を有する樹脂製の上側ケース部と、上側ケース部の下面側に配置され、上側ケース部の複数の孔部を介して上側ケース部の上面側に突出する操作ボタンが一体的に形成されたゴム製の板状部材と、板状部材の下面側に配置された配線基板と、配線基板の下面側に配置された樹脂製の下側ケース部とを備えたリモートコントローラにおいて、樹脂製の上側ケース部の孔部以外の所定の領域には、下面側から下方に突出するとともに、丸形形状または面取り形状の先端部を有する凸状のボス部が所定の間隔を隔てて複数一体的に設けられており、ゴム製の板状部材の上面の操作ボタンの近傍には、凸状のボス部と対応する位置に凸状のボス部と係合する貫通しない凹部が複数設けられている。
【００１４】
この考案の第１の局面によるリモートコントローラでは、上記のように、上側ケース部の下面側に凸状のボス部を設けるとともに、板状部材の操作ボタンの近傍に凸状のボス部と係合する凹部を設けることによって、ユーザが操作ボタンを押す際に、操作ボタンに、操作ボタンを垂直に押す方向と直交する方向の荷重が加わった場合でも、凸状のボス部と凹部との係合によって、板状部材が移動するのを抑制することができるので、操作ボタンが所定の位置に対してずれるのを抑制することができる。また、凸状のボス部の先端部を、丸形形状または面取り形状にすることによって、凸状のボス部の先端部の縁部が凹部の縁部に引っ掛かるのを抑制することができるので、組立時に容易に凸状のボス部を凹部に係合させることができる。また、凸状のボス部を樹脂製の上側ケース部の下面側から下方に突出するように形成することによって、ゴム製の板状部材に凸状のボス部を形成する場合に比べて、凸状のボス部の機械的強度が高くなるので、凸状のボス部と凹部とが係合した状態で、操作ボタンに、操作ボタンを垂直に押す方向と直交する方向に荷重が加わった場合でも、凸状のボス部が変形するのを抑制することができる。このため、板状部材が移動するのを容易に抑制することができるので、操作ボタンが所定の位置に対してずれるのを容易に抑制することができる。また、ケース部に所定の間隔を隔てて複数の凸状のボス部を設けるとともに、板状部材の操作ボタンの近傍に、凸状のボス部と係合する複数の凹部を設けることによって、板状部材が所定の位置に対してずれるのをより有効に抑制することができるとともに、それぞれの操作ボタンの近傍で凸状のボス部と凹部とが係合することになるので、各操作ボタンが所定の位置に対してずれるのをより容易に抑制することができる。また、板状部材に貫通しない凹部を設けることによって、凸状のボス部の先端部により、凹部の底面部を押圧することができるので、これによっても、板状部材が所定の位置に対してずれるのを有効に抑制することができる。このため、板状部材に形成された操作ボタンの位置が所定の位置に対してずれるのを有効に抑制することができる。
【００１５】
この考案の第２の局面におけるリモートコントローラでは、孔部を有するとともに、凸状のボス部または凹部の一方からなる第１係合部が下面側に一体的に設けられたケース部と、ケース部の下面側に配置され、ケース部の孔部を介してケース部の上面側に突出する操作ボタンが一体的に形成されるとともに、操作ボタンの近傍に、ケース部の凸状のボス部または凹部の一方と係合する、凸状のボス部または凹部の他方からなる第２係合部が一体的に設けられたゴム製の板状部材とを備え、凸状のボス部は、丸形形状または面取り形状の先端部を有する。
【００１６】
この考案の第２の局面によるリモートコントローラでは、上記のように、ケース部の下面側に凸状のボス部または凹部の一方からなる第１係合部を設け、板状部材の操作ボタンの近傍にケース部の凸状のボス部または凹部の一方と係合する凸状のボス部または凹部の他方からなる第２係合部を設けることによって、ユーザが操作ボタンを押す際に、操作ボタンに、操作ボタンを垂直に押す方向と直交する方向の荷重が加わった場合でも、凸状のボス部と凹部との係合によって、板状部材が移動するのを抑制することができるので、操作ボタンが所定の位置に対してずれるのを抑制することができる。また、凸状のボス部の先端部を、丸形形状または面取り形状にすることによって、凸状のボス部の先端部の縁部が凹部の縁部に引っ掛かるのを抑制することができるので、組立時に容易に凸状のボス部を凹部に係合させることができる。
【００１７】
上記第２の局面によるリモートコントローラにおいて、好ましくは、ケース部は、樹脂製であり、ケース部の第１係合部は、凸状のボス部であり、板状部材の第２係合部は、凹部であり、凸状のボス部は、ケース部の孔部以外の所定領域の下面側から下方に突出するとともに、所定の間隔を隔てて複数設けられており、凹部は、凸状のボス部と対応する位置に所定の間隔を隔てて複数設けられている。このように構成すれば、ゴム製の板状部材に凸状のボス部を形成する場合に比べて、凸状のボス部の機械的強度が高くなるので、凸状のボス部と凹部とが係合した状態で、操作ボタンに、操作ボタンを垂直に押す方向と直交する方向に荷重が加わった場合でも、凸状のボス部が変形するのを抑制することができる。このため、板状部材が移動するのを抑制することができるので、板状部材に形成された操作ボタンが所定の位置に対してずれるのを容易に抑制することができる。また、このように構成すれば、複数の位置で凸状のボス部と凹部とが係合するので、板状部材が所定の位置に対してずれるのをより有効に抑制することができる。また、それぞれの操作ボタンの近傍で凸状のボス部と凹部とが係合することになるので、各操作ボタンが所定の位置に対してずれるのをより容易に抑制することができる。
【００１８】
上記ゴム製の板状部材に凹部が設けられたリモートコントローラにおいて、好ましくは、ゴム製の板状部材に設けられた凹部は、貫通しない凹部である。このように構成すれば、凸状のボス部の先端部により、凹部の底面部を押圧することができるので、これによっても、板状部材が移動するのを抑制することができる。このため、板状部材が所定の位置に対してずれるのを有効に抑制することができるので、板状部材に形成された操作ボタンの位置が所定の位置に対してずれるのを有効に抑制することができる。
【００１９】
上記ゴム製の板状部材に凹部が設けられたリモートコントローラにおいて、好ましくは、ゴム製の板状部材に設けられた凹部は、貫通孔である。このように構成すれば、凹部の深さを板状部材の厚みと同じ長さの深さにすることができるので、貫通しない凹部に比べて、凹部の深さを大きくすることができる。このため、係合時における凸状のボス部と凹部との係合長さを大きくすることができるので、操作ボタンに、操作ボタンを垂直に押す方向と直交する方向に、より大きい荷重が加わった場合でも、凸状のボス部と凹部との係合が外れるのを抑制することができる。このため、板状部材が移動するのを抑制することができるので、板状部材に形成された操作ボタンが所定の位置に対してずれるのをより容易に抑制することができる。
【００２０】
上記板状部材に貫通孔が設けられたリモートコントローラにおいて、好ましくは、第３係合部が設けられた配線基板をさらに備え、第３係合部は、板状部材の貫通孔を介して、ケース部の凸状のボス部と係合する。このように構成すれば、ケース部の凸状のボス部によって、ケース部、板状部材および配線基板が連結された状態となるので、操作ボタンに、操作ボタンを垂直に押す方向と直交する方向に荷重が加わった場合でも、さらに容易に、操作ボタンが配線基板の所定の位置に対してずれるのを抑制することができる。
【００２１】
この考案の第３の局面におけるリモートコントローラでは、下面側から下方に突出するように形成されるとともに、円柱状の凸状のボス部を一体的に含む樹脂製のケース部と、ケース部の下面側に配置され、ケース部の孔部を介してケース部の上面側に突出する操作ボタンが一体的に形成されるとともに、操作ボタンの近傍に、ケース部の凸状のボス部と係合する貫通しない凹部が設けられたゴム製の板状部材とを備える。
【００２２】
この考案の第３の局面によるリモートコントローラでは、上記のように、ケース部の下面側に、先端部に丸形形状または面取り形状を有しない円柱状の凸状のボス部を設け、板状部材の操作ボタンの近傍に、ケース部の凸状のボス部と係合する貫通しない凹部を設けることによって、操作ボタンに、操作ボタンを垂直に押す方向と直交する方向の荷重が加わった場合でも、凸状のボス部と凹部との係合によって、操作ボタンが所定の位置に対してずれるのを抑制することができる。また、凸状のボス部を樹脂製のケース部の下面側から下方に突出するように形成することによって、ゴム製の板状部材に凸状のボス部を形成する場合に比べて、凸状のボス部の機械的強度が高くなるので、凸状のボス部と凹部とが係合した状態で、操作ボタンに、操作ボタンを垂直に押す方向と直交する方向に荷重が加わった場合でも、凸状のボス部が変形するのを抑制することができる。このため、板状部材が移動するのを容易に抑制することができるので、操作ボタンが所定の位置に対してずれるのを容易に抑制することができる。
【００２３】
上記第２および第３の局面によるリモートコントローラにおいて、好ましくは、ケース部の下面には、補強リブが一体的に設けられており、凸状のボス部は、補強リブと一体的に形成されている。このように構成すれば、補強リブにより、凸状のボス部が形成される部分の機械的強度を向上させることができるので、凸状のボス部が折れるのを抑制することができる。
【考案を実施するための最良の形態】
【００２４】
以下、本考案の実施形態を図面に基づいて説明する。
【００２５】
（第１実施形態）
図１は、本考案の第１実施形態によるリモートコントローラの分解斜視図である。図２は、図１に示した第１実施形態によるリモートコントローラの平面図である。図３は、図１に示した第１実施形態によるリモートコントローラの一部を下面側から見た分解斜視図である。図４〜図７は、図１に示した第１実施形態によるリモートコントローラの詳細構造を説明するための図である。図１〜図７を参照して、本考案の第１実施形態によるリモートコントローラの構造について説明する。
【００２６】
本考案の第１実施形態によるリモートコントローラは、図１に示すように、樹脂製の上側ケース１と、ゴム製の板状部材２と、配線基板３と、樹脂製の下側ケース４とを備えている。また、ゴム製の板状部材２には、複数の操作ボタン２ａが一体的に形成されるとともに、ネジ５を貫通させるための貫通孔部２ｂ（図６参照）が設けられている。また、上側ケース１には、板状部材２の操作ボタン２ａを上側ケース１の上面側に突出させるための孔部１ａが複数設けられている。この孔部１ａは、図２に示すように、操作ボタン２ａが挿入された際に、孔部１ａと操作ボタン２ａとの間に所定の間隔の隙間ができる程度の大きさに形成されている。また、図５に示すように、上側ケース１の下面側には、ネジ５によって下側ケース４を固定するためのネジ固定用ボス部１ｂが設けられている。なお、上側ケース１は、本発明の「ケース部」および「上側ケース部」の一例である。また、配線基板３には、図１に示すように、制御信号を発信するための赤外線発光部３ａと、ネジ５を通すための挿入孔３ｂとが設けられている。また、配線基板３の表面側（板状部材２側）には、操作ボタン２ａに押圧される図示しない接点部が設けられている。この接点部は、操作ボタン２ａによって押圧されることにより赤外線発光部３ａから制御信号を発信させる機能を有している。また、下側ケース４には、上側ケース１と下側ケース４とを固定するためのネジ５を挿入するネジ挿入用ボス部４ａと、配線基板３を保持するための保持用リブ４ｂとが設けられている。
【００２７】
ここで、第１実施形態では、図３および図５に示すように、上側ケース１の下面側には、十字形状に補強用リブ１ｃが一体的に設けられるとともに、補強用リブ１ｃの交点部の一部には、下側に突出する円柱状のボス部１ｄが一体的に設けられている。このボス部１ｄは、所定の間隔を隔てて、複数設けられている。また、円柱状のボス部１ｄの先端部は、図４に示すように、面取り部１ｅを有する面取り形状１ｆに形成されている。なお、ボス部１ｄは、本発明の「凸状のボス部」の一例である。
【００２８】
また、第１実施形態では、図３、図６および図７に示すように、板状部材２の操作ボタン２ａの近傍で、かつ、ボス部１ｄに対応する位置には、ボス部１ｄと係合する貫通孔２ｃが所定の間隔を隔てて複数設けられている。なお、貫通孔２ｃは、本発明の「凹部」の一例である。
【００２９】
また、図７に示すように、板状部材２および配線基板３は、上側ケース１のボス部１ｄと板状部材２の貫通孔２ｃとが係合した状態で、板状部材２と配線基板３とが重なるように上側ケース１と下側ケース４との内部に収納されている。また、板状部材２は、配線基板３の接点部を操作ボタン２ａによって押圧可能な位置に配置されている。また、配線基板３は、上側ケース１と下側ケース４とがネジ５によって固定された際に、下側ケース４の保持用リブ４ｂによって保持された状態となっている。
【００３０】
第１実施形態では、上記のように、上側ケース１の下面側にボス部１ｄを設け、ゴム製の板状部材２の操作ボタン２ａの近傍に、上側ケース１のボス部１ｄと係合する貫通孔２ｃを設けることによって、ユーザが操作ボタン２ａを押す際に、操作ボタン２ａに、操作ボタン２ａを垂直に押す方向と直交する方向の荷重が加わった場合でも、ボス部１ｄと貫通孔２ｃとの係合によって、板状部材２が移動するのを抑制することができるので、板状部材２に形成された操作ボタン２ａの位置が、配線基板３の接点部に対する所定の位置に対してずれるのを抑制することができる。
【００３１】
また、第１実施形態では、ボス部１ｄを樹脂製の上側ケース１の下面側から下方に突出するように形成することによって、ゴム製の板状部材２にボス部１ｄを形成する場合に比べて、ボス部１ｄの機械的強度が高くなるので、ボス部１ｄと貫通孔２ｃとが係合した状態で、操作ボタン２ａに、操作ボタン２ａを垂直に押す方向と直交する方向に荷重が加わった場合でも、ボス部１ｄが変形するのを抑制することができる。このため、板状部材２が移動するのを抑制することができるので、板状部材２に形成された操作ボタン２ａが配線基板３の接点部の位置に対してずれるのを容易に抑制することができる。
【００３２】
また、第１実施形態では、上側ケース１のボス部１ｄを、所定の間隔を隔てて複数設けるとともに、板状部材２の貫通孔２ｃを、ボス部１ｄと対応する位置に所定の間隔を隔てて複数設けることによって、板状部材２が配線基板３との所定の位置に対してずれるのをより有効に抑制することができるとともに、それぞれの操作ボタン２ａの近傍でボス部１ｄと貫通孔２ｃとが係合することになるので、各操作ボタン２ａが配線基板３の接点部の位置に対してずれるのをより容易に抑制することができる。
【００３３】
また、第１実施形態では、ボス部１ｄの先端部を、面取り部１ｅを有する面取り形状１ｆに形成することによって、ボス部１ｄの先端部の縁部がボス部１ｄを挿入する側の貫通孔２ｃの縁部に引っ掛かるのを抑制することができるので、組立時に容易にボス部１ｄを貫通孔２ｃに挿入することができる。このため、ボス部１ｄと貫通孔２ｃとを容易に係合させることができる。
【００３４】
また、第１実施形態では、板状部材２に貫通孔２ｃを形成することによって、ボス部１ｄと貫通孔２ｃとの係合長さを大きくすることができるので、操作ボタン２ａに、操作ボタン２ａを垂直に押す方向と直交する方向に、より大きい荷重が加わった場合でも、ボス部１ｄと貫通孔２ｃとの係合が外れるのを抑制することができる。このため、板状部材２が移動するのを抑制することができるので、板状部材２に形成された操作ボタン２ａが配線基板３の接点部の位置に対してずれるのをより容易に抑制することができる。
【００３５】
また、第１実施形態では、上側ケース１の下面に、補強リブ１ｃを一体的に設けるとともに、ボス部１ｄを補強リブ１ｃと一体的に形成することによって、補強リブ１ｃにより、ボス部１ｄが形成される部分の機械的強度を向上させることができるので、ボス部１ｄが折れるのを抑制することができる。
【００３６】
（第２実施形態）
図８は、本考案の第１実施形態によるリモートコントローラの一部を下面側から見た分解斜視図である。図９〜図１２は、図８に示した第２実施形態によるリモートコントローラの詳細構造を説明するための図である。この第２実施形態では、上記第１実施形態とは異なり、上側ケース１のボス部１ｄの先端部を丸形形状（半球形状）１１ｅに形成するとともに、板状部材２に貫通しない凹部１２ｃを形成した例について説明する。なお、その他の構造は、上記第１実施形態と同様である。図８〜図１２を参照して、本考案の第２実施形態によるリモートコントローラの構造について説明する。
【００３７】
本考案の第２実施形態によるリモートコントローラでは、上記第１実施形態と同様、樹脂製の上側ケース１と、ゴム製の板状部材２と、配線基板３と、樹脂製の下側ケース４とを備えている。また、図８に示すように、上側ケース１の下面側には、十字形状に補強用リブ１ｃが一体的に設けられているとともに、補強用リブ１ｃの交点部の一部には、下側に延びるように突出した円柱状のボス部１ｄが一体的に設けられている。このボス部１ｄは、所定の間隔を隔てて、複数設けられている。
【００３８】
ここで、第２実施形態では、図９に示すように、ボス部１ｄの先端部は、丸形形状（半球形状）１１ｅに形成されている。また、図８、図１０〜図１２に示すように、板状部材２の操作ボタン２ａの近傍には、ボス部１ｄと係合する貫通しない凹部１２ｃが所定の間隔を隔てて複数設けられている。
【００３９】
また、図１０に示すように、板状部材２および配線基板３は、上側ケース１のボス部１ｄと板状部材２の凹部１２ｃとが係合した状態で、板状部材２と配線基板３とが重なるように上側ケース１と下側ケース４との内部に収納されている。また、板状部材２は、配線基板３の接点部を操作ボタン２ａによって押圧可能な位置に配置されている。また、配線基板３は、上側ケース１と下側ケース４とがネジ５によって固定された際に、下側ケース４の保持用リブ４ｂによって保持された状態となっている。また、板状部材２は、図１１に示すように、上側ケース１のボス部１ｄの先端部によって、凹部１２ｃの底面部が押圧された状態で上側ケース１と下側ケース４との内部に収納されている。
【００４０】
第２実施形態では、上記のように、ボス部１ｄの先端部を丸形形状（半球形状）１１ｅに形成することによって、ボス部１ｄの先端部の縁部が凹部１２ｃの縁部に引っ掛かるのを容易に抑制することができるので、容易にボス部１ｄを凹部１２ｃに挿入することができる。このため、ボス部１ｄと凹部１２ｃとをより容易に係合させることができる。
【００４１】
また、第２実施形態では、ゴム製の板状部材２に貫通しない凹部１２ｃを設けることによって、上側ケース１のボス部１ｄの先端部で、凹部１２ｃの底面部を押圧することができるので、これによっても、板状部材２が移動するのを抑制することができる。このため、板状部材２が所定の位置に対してずれるのを有効に抑制することができるので、板状部材２に形成された操作ボタン２ａの位置が配線基板３の接点部の位置に対してずれるのを有効に抑制することができる。
【００４２】
第２実施形態のその他の効果は、上記第１実施形態と同様である。
【００４３】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４４】
たとえば、上記第１および第２実施形態では、それぞれ、板状部材に貫通孔を設けた際に、ボス部の先端部を面取り形状に形成した例、および、板状部材に凹部を設けた際に、ボス部の先端部を丸形形状（半球形状）に形成した例を示したが、本発明はこれに限らず、板状部材に貫通孔を設けた際に、ボス部の先端部を丸形形状（半球形状）に形成してもよいし、板状部材に凹部を設けた際に、ボス部の先端部を面取り形状に形成してもよい。また、板状部材に貫通孔および凹部を設けた際に、ボス部の先端部を、図１３の第１変形例に示す先端部の縁部をＲ加工した丸形形状（Ｒ加工形状）に形成してもよい。さらに、ボス部の縁部と凹部の縁部との引っ掛かりを抑制することができれば、ボス部の先端部は、面取り形状、丸形形状（半球形状およびＲ加工形状）以外の形状であってもよい。
【００４５】
また、上記第１および第２実施形態では、上側ケースのボス部を補強リブの交差部に形成した例を示したが、本発明はこれに限らず、補強用リブの交点部以外の位置にボス部を形成するようにしてもよい。
【００４６】
また、上記第１および第２実施形態では、樹脂製の上側ケースを用いた例を示したが、本発明はこれに限らず、ゴム製の板状部材よりも固い（機械的強度の大きい）材料であれば、樹脂以外の材料からなる上側ケースを用いるようにしてもよい。
【００４７】
また、上記第１および第２実施形態では、ボス部を円柱状に形成した例を示したが、本発明はこれに限らず、四角柱や六角柱などの多角形の柱状など円柱状以外の形状にボス部を形成するようにしてもよい。
【００４８】
また、上記第１実施形態では、板状部材のみに貫通孔を形成した例を示したが、本発明はこれに限らず、図１４に示した第２変形例および図１５に示した第３変形例のように、板状部材の貫通孔を介して、上側ケースのボス部と係合する凹部を配線基板に設けるようにしてもよい。その際、配線基板に設ける凹部は、図１４に示した貫通しない凹部でもよく、図１５に示した貫通した凹部であってもよい。
【００４９】
また、上記第２実施形態では、上側ケースに凸状のボス部を形成するとともに、板状部材に凹部を形成した例を示したが、本発明はこれに限らず、上側ケースに凹部を形成し、板状部材に凸状のボス部を形成するようにしてもよい。
【図面の簡単な説明】
【００５０】
【図１】本考案の第１実施形態によるリモートコントローラの分解斜視図である。
【図２】図１に示した第１実施形態によるリモートコントローラの平面図である。
【図３】図１に示した第１実施形態によるリモートコントローラの一部を下面側から見た分解斜視図である。
【図４】図３の６０−６０線に沿った断面図である。
【図５】図１に示した第１実施形態によるリモートコントローラの上側ケースを下面側から見た平面図である。
【図６】図１に示した第１実施形態によるリモートコントローラの板状部材を操作ボタン側から見た平面図である。
【図７】図２の５０−５０線に沿った断面図である。
【図８】本考案の第２実施形態によるリモートコントローラの一部を下面側から見た分解斜視図である。
【図９】図８の７０−７０線に沿った断面図である。
【図１０】図８に示した第２実施形態によるリモートコントローラの断面図である。
【図１１】図１０の８０部を拡大した断面図である。
【図１２】図８に示した第２実施形態によるリモートコントローラの板状部材の一部を示した平面図である。
【図１３】本考案の第１変形例である上側ケースのボス部を示す断面図である。
【図１４】本考案の第２変形例であるリモートコントローラの断面図である。
【図１５】本考案の第３変形例であるリモートコントローラの断面図である。
【図１６】従来の一例によるリモートコントローラの分解斜視図である。
【図１７】図１６に示した従来の一例によるリモートコントローラの全体斜視図である。
【符号の説明】
【００５１】
１        上側ケース（ケース部）
１ｄ      ボス部（凸状のボス部）
１ｅ      面取り部
１ｆ      面取り形状
１１ｅ    丸形形状
２        板状部材
２ａ      操作ボタン
２ｃ      貫通孔（凹部）
１２ｃ    凹部
３        配線基板
４        下側ケース
【図１】
0003119466.tif 000003
【図２】
0003119466.tif 000004
【図３】
0003119466.tif 000005
【図４】
0003119466.tif 000006
【図５】
0003119466.tif 000007
【図６】
0003119466.tif 000008
【図７】
0003119466.tif 000009
【図８】
0003119466.tif 000010
【図９】
0003119466.tif 000011
【図１０】
0003119466.tif 000012
【図１１】
0003119466.tif 000013
【図１２】
0003119466.tif 000014
【図１３】
0003119466.tif 000015
【図１４】
0003119466.tif 000016
【図１５】
0003119466.tif 000017
【図１６】
0003119466.tif 000018
【図１７】
0003119466.tif 000019